(57)【要約】【解決手段】本発明は、複数の周波数帯域のフィルタリングに適した表面に関する。表面は、誘電性支持体(10)上に周期的に配列された一組の離れた同一の基本的な導体パターン(31)を備えている。基本的な導体パターンは、中心(14)から径方向に延びる３つの同一のセグメント(12)から形成されたトリポールと、各セグメントの中間点から対称的に延びる２つの分岐部分(32)とを有しており、中間点は、セグメント(12)の各々に関して中心(14)から同一の距離(Db)に設けられている。２つの分岐部分の一般的な方向が約120 °の角度を形成して、外側に向いた矢印を定めており、２つの異なるセグメント(12)に対応した分岐部分(32)と交差していない。
2013527694.tif 000002
【特許請求の範囲】
【請求項１】
複数の周波数帯域をフィルタにかけることができる表面であって、
誘電性支持体(10)上に周期的に配列された一組の離れた同一の基本的な導体パターン(31, 51, 61, 71, 81, 91)を備えており、
該導体パターンは、
中心(14)から星状に延びる３つの同一のセグメント(12)から形成されたトリポールと、
各セグメントの中間点から対称的に延びる２つの分岐部分(32, 72)と
を有しており、
前記中間点は、前記セグメント(12)の各々に関して前記中心(14)から同一の距離(Db)に設けられてあり、前記２つの分岐部分の一般的な方向が約120 °の角度を形成して、外側に向いた矢印を定めており、２つの異なるセグメント(12)に関連した分岐部分(32, 72)と交差しておらず、
前記導体パターンは、前記セグメント(12)の方向の各々への平行移動に基づいて配列されており、導体パターンのセグメントの夫々の端部が同一の距離(Dm)分、隣り合う導体パターンの中心から離れていることを特徴とする表面。
【請求項２】
前記トリポールのセグメント(12)は２つずつ約120 °の角度を形成していることを特徴とする請求項１に記載の表面。
【請求項３】
前記導体パターン(51, 61, 71, 81, 91)は、各セグメント(12)の端部から対称的に延びる２つの同一の第１のフィン(52)を更に有しており、該第１のフィン(52)は、約120 °の角度を形成しており、前記導体パターンの外側に向いた矢印を定めていることを特徴とする請求項１又は２に記載の表面。
【請求項４】
前記導体パターン(51, 61, 71, 81, 91)は、各分岐部分(32, 72)の自由端から延びる２つの同一の第２のフィン(54, 64)を更に有しており、各第２のフィンは、前記分岐部分の一般的な方向に対して約60°の角度を形成していることを特徴とする請求項１乃至３のいずれかに記載の表面。
【請求項５】
各分岐部分の第２のフィン(54)は共に約120 °の角度を形成しており、前記導体パターンの外側に向かう矢印を定めていることを特徴とする請求項４に記載の表面。
【請求項６】
各分岐部分(32, 72)の第２のフィン(64)は同一の方向に並んでおり、該同一の方向は、前記分岐部分が始まるセグメント(12)の方向と交差していることを特徴とする請求項４に記載の表面。
【請求項７】
前記分岐部分(72)は、前記分岐部分の一般的な方向と交差する方向に少なくとも１つの鋸歯状の延長部を有していることを特徴とする請求項１乃至６のいずれかに記載の表面。
【請求項８】
0.9GHz，1.8GHz及び2.1GHzを夫々中心とする３つの周波数帯域をフィルタにかけることが可能な請求項１乃至７のいずれかに記載の表面。
【請求項９】
2.4GHz及び5.4GHzを夫々中心とする２つの周波数帯域をフィルタにかけることが可能な請求項１乃至７のいずれかに記載の表面。
【請求項１０】
前記誘電性支持体は、紙タイプ又はボール紙タイプの支持体であり、前記導体パターンは導電性インクを用いて印刷することにより形成されていることを特徴とする請求項１乃至９のいずれかに記載の表面。
【請求項１１】
0.9GHz乃至5.4GHzの範囲内にある３つの周波数帯域をフィルタにかけるための請求項１乃至１０のいずれかの表面の使用法であって、前記導体パターンの全体の大きさが、約１乃至10センチメートルの範囲内にあり、前記セグメント、分岐部分及びフィンの夫々の長さが、３つの対象となる周波数帯域を選択すべく調整されていることを特徴とする使用法。
【発明の詳細な説明】
【技術分野】
【０００１】
本開示は、周波数選択性表面、つまり、ある周波数帯域に属する電磁波を遮蔽することが可能な表面に関する。
【背景技術】
【０００２】
周波数選択性表面は、一般に本技術ではFSS と呼ばれる。周波数選択性表面は、誘電性支持体の表面に周期的に配列された１組の同一の基本的な導体パターンを備えている。基本的な導体パターンの形状及び大きさと、周期的な配列の構成と、導体パターンの導体材料及び誘電性支持体の誘電材料の特性とは、周波数選択性表面のフィルタリング特性を決定する主な要因である。
【０００３】
対象となる用途の内の１つが、ある電磁波に対して建物又は建物の部屋を選択的に遮蔽することである。一般にフィルタにかけることが望まれる周波数は、Wi-Fi タイプの無線コンピュータネットワークシステムの搬送周波数（2.4GHz及び5.4GHz）に加えて、GSM（登録商標） タイプの移動電話システムの搬送周波数（0.9GHz，1.8GHz及び2.1GHz）を特に含んでいる。
【０００４】
誘電性支持体は、プリント回路製造方法と同様の製造方法に従って、導体パターンが導体層の堆積によって形成されているエポキシ又はプラスチックに基づく基板であってもよい。更に、例えば導電性インクを用いて印刷することにより、紙タイプ又はボール紙タイプの支持体に周波数選択性表面が直接形成されている。この最後の具体化例は、このような表面のコストを著しく減少させるという利点を特に有している。
【先行技術文献】
【特許文献】
【０００５】
【特許文献１】英国特許出願公開第２４６０２８８号明細書
【発明の概要】
【発明が解決しようとする課題】
【０００６】
図１は、周波数選択性表面の基本的な導体パターン1 を概略的に示す平面図である。誘電性支持体10の表面上に形成された導体パターン1 は、中心14から星状に延びて長さLsの３つの同一のセグメント12a,12b,12c から形成されたトリポールである。セグメント12a,12b,12c は２つずつ約120 °の角度を形成している。
【０００７】
図２は、図１の基本的な導体パターン1 を誘電性支持体10上に周期的に配列することにより形成された周波数選択性表面の一部を概略的に示す平面図である。導体パターン1 は、トリポールのセグメント12a,12b,12c の方向の各々への平行移動に基づいて配列されており、従って、導体パターンのセグメントの夫々の外端が、同一のゼロではない距離Dm分、隣り合う導体パターンの中心から離れている。平行移動は、対象となる表面全体を覆うまで繰り返される。
【０００８】
このように形成された表面は、トリポールのセグメントの長さLsと、隣り合う導体パターン間の距離Dmとに関するパラメータにより基本的に決まる共振周波数を有している。このような表面は、その共振周波数を中心とする周波数帯域に属する電磁波をフィルタにかける特性を有している。フィルタリング効率は更に、導体パターンの幅W 及び厚さ（不図示）と誘電性支持体10の厚さ（不図示）とにより決まる。
【０００９】
図１及び２に関して述べられている周波数選択性表面の欠点は、その周波数応答が、表面に対する電磁波の入射角と入射した電磁波の分極とにより決まることである。
【００１０】
更に、この周波数選択性表面は、その共振周波数を中心とする単一の周波数帯域をフィルタにかけることのみが可能である。従って、様々な帯域、例えば（約0.9 ，1.8 及び2.1GHz程度の）GSM の周波数及び／又は（約2.4 及び5.4GHz程度の）Wi-Fi の周波数をフィルタにかけるために、対象となる帯域の各々に適した周波数選択性表面を積み重ねる必要がある。
【００１１】
従って、本発明の実施形態の目的は、既存の解決法の欠点の少なくとも一部を克服する周波数選択性表面を提供することである。
【００１２】
本発明の実施形態の目的は、入射する電磁波の入射角及び分極に無関係なフィルタリング特性を有するこのような表面を提供することである。
【００１３】
本発明の実施形態の目的は、複数の様々な周波数帯域をフィルタにかけることが可能なこのような表面を提供することである。
【００１４】
本発明の実施形態の目的は、導体パターンの被覆率が比較的低いこのような表面を提供することである。
【課題を解決するための手段】
【００１５】
従って、本発明の実施形態は、複数の周波数帯域をフィルタにかけることができる表面であって、誘電性支持体上に周期的に配列された一組の離れた同一の基本的な導体パターンを備えており、該導体パターンは、中心から星状に延びる３つの同一のセグメントから形成されたトリポールと、各セグメントの中間点から対称的に延びる２つの分岐部分とを有しており、前記中間点は、前記セグメントの各々に関して前記中心から同一の距離に設けられてあり、前記２つの分岐部分の一般的な方向が約120 °の角度を形成して、外側に向いた矢印を定めており、２つの異なるセグメントに関連した分岐部分と交差していないことを特徴とする表面を提供する。
【００１６】
本発明の実施形態によれば、前記トリポールのセグメントは２つずつ約120 °の角度を形成している。
【００１７】
本発明の実施形態によれば、前記導体パターンは、各セグメントの端部から対称的に延びる２つの同一の第１のフィンを更に有しており、該第１のフィンは、約120 °の角度を形成しており、前記導体パターンの外側に向いた矢印を定めている。
【００１８】
本発明の実施形態によれば、前記導体パターンは、各分岐部分の自由端から延びる２つの同一の第２のフィンを更に有しており、各第２のフィンは、前記分岐部分の一般的な方向に対して約60°の角度を形成している。
【００１９】
本発明の実施形態によれば、各分岐部分の第２のフィンは共に約120 °の角度を形成しており、前記導体パターンの外側に向かう矢印を定めている。
【００２０】
本発明の実施形態によれば、各分岐部分の第２のフィンは同一の方向に並んでおり、該同一の方向は、前記分岐部分が始まるセグメントの方向と交差している。
【００２１】
本発明の実施形態によれば、前記分岐部分は、前記分岐部分の一般的な方向と交差する方向に少なくとも１つの鋸歯状の延長部を有している。
【００２２】
本発明の実施形態によれば、前記導体パターンは、前記セグメントの方向の各々への平行移動に基づいて配列されており、導体パターンのセグメントの夫々の端部が同一の距離分、隣り合う導体パターンの中心から離れている。
【００２３】
本発明の実施形態によれば、前記表面は、0.9GHz，1.8GHz及び2.1GHzを夫々中心とする３つの周波数帯域をフィルタにかけることが可能である。
【００２４】
本発明の実施形態によれば、前記表面は、2.4GHz及び5.4GHzを夫々中心とする２つの周波数帯域をフィルタにかけることが可能である。
【００２５】
本発明の実施形態によれば、前記誘電性支持体は、紙タイプ又はボール紙タイプの支持体であり、前記導体パターンは導電性インクを用いて印刷することにより形成されている。
【００２６】
本発明の別の実施形態は、0.9GHz乃至5.4GHzの範囲内にある３つの周波数帯域をフィルタにかけるための前述の表面の使用法であって、前記導体パターンの全体の大きさが、約１乃至10センチメートルの範囲内にあり、前記セグメント、分岐部分及びフィンの夫々の長さが、３つの対象となる周波数帯域を選択すべく調整されていることを特徴とする使用法を提供する。
【図面の簡単な説明】
【００２７】
【図１】周波数選択性表面の基本的な導体パターンを概略的に示す平面図である。
【図２】図１の基本的な導体パターンの配列により形成された周波数選択性表面の一部を概略的に示す平面図である。
【図３】周波数選択性表面の基本的な導体パターンの実施形態を概略的に示す平面図である。
【図４】図３の基本的な導体パターンの配列により形成された周波数選択性表面の一部を概略的に示す平面図である。
【図５】図３の基本的な導体パターンの他の実施形態を示す単純化された平面図である。
【図６】図３の基本的な導体パターンの他の実施形態を示す単純化された平面図である。
【図７】図３の基本的な導体パターンの他の実施形態を示す単純化された平面図である。
【図８】図３の基本的な導体パターンの他の実施形態を示す単純化された平面図である。
【図９】図３の基本的な導体パターンの他の実施形態を示す単純化された平面図である。
【図１０】入射角が異なる基本的な波に関して、図５の基本的な導体パターンから形成された周波数選択性表面の周波数応答を示す図である。
【発明を実施するための形態】
【００２８】
本発明の前述及び他の目的、特徴及び利点を、添付図面を参照して本発明を限定するものではない具体的な実施形態について以下に詳細に説明する。
【００２９】
明瞭化のために、同一の要素は異なる図面において同一の参照番号で示されてあり、更に、様々な図面は正しい縮尺で示されていない。
【００３０】
図３は、周波数選択性表面の基本的な導体パターン31の実施形態を概略的に示す平面図である。
【００３１】
一例として、導体材料は、アルミニウム、金、銅、銀、炭素、鉄、白金、黒鉛又はこれらの材料の内の複数の材料から形成された伝導性合金であってもよい。一般に、導体材料の導電率が高いほど、周波数選択性表面によって行われるフィルタリング性能は向上する。
【００３２】
誘電性支持体10の表面上に形成された導体パターン31は、中心14から星状に延びて長さLsの３つの略同一のセグメント12a,12b,12c から形成された基本的なトリポールを有している。セグメント12a,12b,12c は２つずつ、例えば110 °乃至130 °の範囲内の約120 °の角度を形成している。
【００３３】
導体パターン31は、セグメント12a,12b,12c 毎に、２つの略同一の分岐部分、夫々32a1及び32a2，32b1及び32b2，32c1及び32c2を更に有しており、分岐部分32a1,32a2,32b1,32b2,32c1,32c2 は、セグメントの方向に対して略対称にセグメントの中間点から延びている。この例では、分岐部分32は長さLbの棒状である。各セグメント12には、中間点が、中心14から略同一の距離Dbに設けられている。２つの分岐部分32の一般的な方向は、例えば110 °乃至130 °の範囲内の約120 °の角度を形成して、導体パターンの外側に向かう矢印を定めている。更に、２つの異なるセグメント12に関連した分岐部分32と交差していない。
【００３４】
図４は、図３の基本的な導体パターン31を誘電性支持体10上に周期的に配列することにより形成された周波数選択性表面の実施形態の一部を概略的に示す平面図である。導体パターン31は、基本的なトリポールのセグメント12a,12b,12c の方向の各々への平行移動に基づいて配列されており、従って、導体パターン31のセグメントの夫々の外端が同一のゼロではない距離Dm分、隣り合う導体パターン31の中心14から離れている。対象となる表面全体が覆われるまで、平行移動が繰り返される。尚、基本的な導体パターンの大きさ及び距離Dmは、基本的な導体パターンが離れているように選択されている。
【００３５】
このように形成された表面の周波数応答は、セグメント12の長さLsと、分岐部分32の長さLbと、分岐部分32が始まるセグメント12の中間点と導体パターンの中心14との距離Dbと、隣り合う導体パターン間の距離Dmとにより基本的に決まる。
【００３６】
本発明者は、このような表面が３つの主な共振周波数を有していることを見出した。第１の共振周波数は、セグメント12の長さLsと隣り合う導体パターン間の距離Dmとにより基本的に決まる。第２の共振周波数は、分岐部分32の長さLbと、導体パターンの中心14、及び分岐部分が始まるセグメント12の中間点間の距離Dbとにより基本的に決まる。第３の共振周波数は、前述した全てのパラメータにより決まる。
【００３７】
このような表面は、３つの主な共振周波数を中心とする３つの異なる周波数帯域に属する電磁波をフィルタにかける特性を有している。実際には、シミューレーションソフトウェアが、対象となる周波数帯域に適した１組のパラメータを得るために段階的な調整を行なうことにより、様々な組み合わせのパラメータを検査すべく使用される。
【００３８】
図４の実施形態では、第１及び第２の共振周波数の設定が比較的容易であるが、第１及び第２の共振周波数を修正せずに、第３の共振周波数を調整することが困難である。
【００３９】
更に、図４の周波数選択性表面の３つの共振周波数は依然として僅かに電磁波の入射角及び分極により決まる。
【００４０】
図５は、周波数選択性表面の基本的な導体パターン51の別の実施形態を概略的に示す平面図である。導体パターン51は、図３の導体パターン31の要素を全て示している。導体パターン51は、長さLas の２つの略同一のフィン、夫々52a1及び52a2，52b1及び52b2，52c1及び52c2を更に有しており、フィン52a1, 52a2, 52b1, 52b2, 52c1, 52c2は、セグメントの方向に対して略対称に各セグメント12の外端から延びている。各セグメント12のフィン52は共に、例えば110 °乃至130 °の範囲内の約120 °の角度を形成しており、導体パターンの外側に向かう矢印を定めている。
【００４１】
実施形態では、導体パターン51は、長さLab の２つの略同一のフィン、夫々54a11 及び54a12 ，54a21 及び54a22 ，54b11 及び54b12 ，54b21 及び54b22 ，54c11 及び54c12 ，54c21 及び54c22 を更に有しており、フィン54a11, 54a12, 54a21, 54a22, 54b11, 54b12, 54b21, 54b22, 54c11, 54c12, 54c21, 54c22は、分岐部分の一般的な方向に対して略対称に各分岐部分32の外端から（分岐部分が始まるセグメント側とは反対の分岐部分の側で）延びている。各分岐部分32のフィン54は共に、例えば110 °乃至130 °の範囲内の約120 °の角度を形成しており、外側に向いた矢印を定めている。導体パターンの大きさは、様々なセグメント又は分岐部分に関連した複数のフィンが交差しておらず、導体パターンの他のセグメント及び分岐部分と交差しないように選択されている。
【００４２】
図５は、導体パターン51のセグメント12a の方向への導体パターン51の平行移動に相当する導体パターン51' の一部を点線で示している。この例では、導体パターン51の中心14に最も近い導体パターン51' のセグメントのフィン52が、導体パターン51のセグメント12b,12c と分岐部分32b2,32c1 とによって画定された空間内に設けられている。導体パターン51の中心14はゼロではない距離Dm分、最も近いセグメント12の端部から離れている。周波数選択性表面の他の導体パターン（不図示）が、図４に関連して述べられたタイプの周期的な配列に従った、他のセグメント12の方向への平行移動によって同様に形成されているのは当然である。
【００４３】
このようにして形成された表面は、３つの主な別個の共振周波数を有している。これら３つの共振周波数は、電磁波の入射角及び分極とは無関係である。更に、フィン52,54 の長さに関する更なるパラメータLas,Labの導入により、共振周波数を設定する可能性が増大する。
【００４４】
基本的な導体パターンを確実に交互に配置することにより、電磁波の入射角及び分極とは無関係に周波数選択性表面が確実に動作するとみなされる。従って、隣り合う導体パターン間の距離に関するパラメータDmを比較的低く維持することが確認される。
【００４５】
図６は、図５の基本的な導体パターンの他の実施形態を概略的に示す平面図である。図６の導体パターン61は、分岐部分32に関連したフィンの向きに関して図５の導体パターンとは異なる。導体パターン61では、分岐部分32に関連した２つの同一のフィン64（夫々64a11 及び64a12 ，64a21 及び64a22 ，64b11 及び64b12 ，64b21 及び64b22 ，64c11 及び64c12 ，64c21 及び64c22 ）が夫々、分岐部分の一般的な方向に対して例えば55°乃至65°の範囲内の約60°の角度を形成しており、同一の方向に略並んでいる。この同一の方向は、分岐部分32が始まるセグメント12の方向と交差している。
【００４６】
図５の導体パターン51のように、導体パターン61は３つの共振周波数を有する表面を与えている。導体パターン61は特に、導体パターン51から得られた共振周波数とは異なる共振周波数を得ることが可能であり、導体パターン51と同一の設定可能性と電磁波の向き及び分極に対する導体パターン51と同一の無感応性とを有している。
【００４７】
図７は、図６の基本的な導体パターンの他の実施形態を概略的に示す平面図である。図７の導体パターン71は、セグメント12から始まる分岐部分の形状に関して図６の導体パターンとは異なる。導体パターン71は、２つの分岐部分72（夫々72a1及び72a2，72b1及び72b2，72c1及び72c2）を有しており、分岐部分72は、図６の導体パターンの分岐部分32と同一の一般的な方向に各セグメント12の中間点から延びている。しかしながら、図６の導体パターンの分岐部分32とは異なり、分岐部分72は高さHcの鋸歯状の延長部を有しており、延長部は、導体パターンの外側に向かって分岐部分の一般的な方向に略直交する方向に延びている。
【００４８】
図６の導体パターン61のように、導体パターン71は３つの共振周波数を有する表面を与えている。分岐部分72に鋸歯状の延長部を設けることにより、分岐部分の長さを更に変更することが可能になり、そのため、共振周波数を設定する可能性が増大する。更に、図５の導体パターン51及び図６の導体パターン61と同様に、導体パターン71から得られた表面の共振周波数は電磁波の向き及び分極に対して無感応である。
【００４９】
一例として、図４に関連して述べられたタイプの周期的な配列に従って導体パターン71を配列することによって、本発明者は、以下のパラメータを使用して約0.9 及び1.8GHz程度の周波数を遮蔽することが可能な表面を得た。
【００５０】
【表１】
2013527694.tif 000003
【００５１】
本発明者は更に、以下のパラメータを使用して約2.4 及び5.4GHz程度の周波数を遮蔽することが可能な表面を得た。
【００５２】
【表２】
2013527694.tif 000004
【００５３】
上記の２つの例は、第３の共振周波数を考慮していないが、第３の共振周波数は存在する。
【００５４】
図８は、図７の基本的な導体パターンの他の実施形態を概略的に示す平面図である。図８の導体パターン81では、基本的なトリポールのセグメントから始まる分岐部分が夫々、高さHcの３つの鋸歯状の延長部を備えており、延長部は、導体パターンの外側に向かって分岐部分の一般的な方向に略直交する方向に延びている。
【００５５】
一例として、図４に関連して述べられたタイプの周期的な配列に従って導体パターン81を配列することによって、本発明者は、以下のパラメータを使用して約0.9 ，1.8 及び2.1GHz程度の周波数を遮蔽することが可能な表面を得た。
【００５６】
【表３】
2013527694.tif 000005
【００５７】
図９は、図８の基本的な導体パターンの他の実施形態を概略的に示す平面図である。図９の導体パターン91では、基本的なトリポールのセグメントから始まる分岐部分が夫々、高さが異なる鋸歯状の延長部を備えており、延長部は、分岐部分の一般的な方向に略直交する方向に導体パターンの外側及び内側に交互に延びている。更に導体パターン91では、図５の導体パターン51のように分岐部分に関連したフィンが矢印状に設けられている。
【００５８】
図10は、入射角が異なる電磁波に関して、図５の基本的な導体パターン51を配列することにより形成された表面の（デシベル単位の）透過率の、周波数に応じた変化を示す図である。曲線101,102,103 が、周波数選択性表面の面に直交する方向に対して０°，30°及び60°の角度を夫々形成する方向に向いた電磁波に関する表面の周波数応答を示している。パラメータは、表面が約0.9 ，1.8 及び2.1GHz程度の３つの異なる共振周波数を有しているように選択されている。図10は、曲線101,102,103 の負のピークに対応する表面の共振周波数が電磁波の入射角とは無関係であることを示している。尚、共振周波数は電磁波の分極とも無関係である。
【００５９】
好ましい実施形態によれば、上述した周波数選択性表面は、紙タイプ又はボール紙タイプの支持体上に形成されており、紙タイプ又はボール紙タイプの支持体として、例えば、壁紙、又はボール紙で裏打ちされた紙若しくはボール紙裏打石膏板、又は建物の部屋の壁を裏打ちすることができるあらゆる他の支持体がある。導体パターンは、例えば導電性インクを用いて印刷することにより形成されている。
【００６０】
上述された周波数選択性表面の利点によれば、導体パターンの被覆率は比較的低く、例えば15%未満である。このため、このような表面のための製造コストを比較的低く維持することが可能になる。
【００６１】
本発明の具体的な実施形態を説明している。様々な変更、修正及び改良を当業者は容易に想起する。
【００６２】
特に、図７乃至９と関連して述べられている基本的な導体パターンから、複数の変形例が導き出されてもよい。しかしながら、これらの導体パターンの各々に関して、導体パターンの分岐部分に関連したフィンを、図５に関連して述べられているような矢印状に、又は、図６に関連して述べられているような同一の方向に並べて設けることが選択されてもよい。更に、導体パターンの分岐部分から形成された鋸歯状の延長部の数、方向及び向きを変えることにより、所望の動作を実行することは当業者の技量の範囲内である。
【００６３】
更に、図３乃至９に関連して述べられている基本的な導体パターンには、主な分岐部分(32,72) から始まる対称的な分岐部分の第２の世代が、共振周波数を設定する可能性を増大させるべく設けられてもよい。
【図１】
2013527694.tif 000006
【図２】
2013527694.tif 000007
【図３】
2013527694.tif 000008
【図４】
2013527694.tif 000009
【図５】
2013527694.tif 000010
【図６】
2013527694.tif 000011
【図７】
2013527694.tif 000012
【図８】
2013527694.tif 000013
【図９】
2013527694.tif 000014
【図１０】
2013527694.tif 000015
【国際調査報告】
2013527694.tif 000016
2013527694.tif 000017
2013527694.tif 000018
2013527694.tif 000019
2013527694.tif 000020
2013527694.tif 000021